(57)【要約】【課題】内容物の残量を視認可能であり、かつ容器体内の遮光性を確保した吐出容器を提供する。【解決手段】吐出容器１Ａは、内容物が収容され、内容物の残量を表示する表示部１１ｂが設けられた容器体１０と、内容物を吐出させる吐出器３０と、内容物の減少に伴って容器体に対して上下動する中皿６０と、容器体に対して下降可能に設けられた可動部材２０と、を備える。可動部材には、可動部材の容器体に対する最下端位置を決める規制部２４ａが設けられ、表示部は可動部材に覆われるとともに、可動部材の容器体に対する下降に伴って表示部が露出される。【選択図】図１
2019116314.tif 000002
【特許請求の範囲】
【請求項１】
内容物が収容され、前記内容物の残量を表示する表示部が設けられた容器体と、
前記内容物を吐出させる吐出器と、
前記容器体内に配設されるとともに、前記内容物の減少に伴って前記容器体に対して上下動する中皿と、
前記容器体に対して下降可能に設けられた可動部材と、を備え、
前記可動部材には、前記可動部材の前記容器体に対する最下端位置を決める規制部が設けられ、
前記表示部は前記可動部材に覆われるとともに、前記可動部材の前記容器体に対する下降に伴って前記表示部が露出される、吐出容器。
【請求項２】
前記表示部が、前記容器体の一部であって、内部が視認可能に形成されている、請求項１に記載の吐出容器。
【請求項３】
前記可動部材は、前記容器体の底部をその下方から覆い、かつこの吐出容器の正立時に接地する接地部を備え、
前記底部と前記接地部との間に、前記容器体を上方付勢し、かつ前記内容物の残量に応じて伸縮する付勢部材が配置されている、請求項１に記載の吐出容器。
【発明の詳細な説明】
【技術分野】
【０００１】
本発明は、吐出容器に関する。
【背景技術】
【０００２】
従来から、下記特許文献１に示されるような吐出容器が知られている。この吐出容器は、内容物が収容される容器体と、内容物を吐出させる吐出器と、内容物の減少に伴って容器体に対して上下動する中皿と、を備えている。容器体には、内容物の残量を視認可能とするための透視窓が形成されている。
【先行技術文献】
【特許文献】
【０００３】
【特許文献１】特開２０１０−１７３７０１号公報
【発明の概要】
【発明が解決しようとする課題】
【０００４】
特許文献１の構成では、容器体に透視窓が形成されているため、非使用時に透視窓から光が容器体内に入らないようにすることが容易ではなかった。
【０００５】
本発明はこのような事情を考慮してなされたもので、内容物の残量を容器体の側面から視認可能であり、かつ非使用時の遮光性をより向上させた吐出容器を提供することを目的とする。
【課題を解決するための手段】
【０００６】
上記課題を解決するために、本発明の一態様に係る吐出容器は、内容物が収容され、前記内容物の残量を表示する表示部が設けられた容器体と、前記内容物を吐出させる吐出器と、前記容器体内に配設されるとともに、前記内容物の減少に伴って前記容器体に対して上下動する中皿と、前記容器体に対して下降可能に設けられた可動部材と、を備え、前記可動部材には、前記可動部材の前記容器体に対する最下端位置を決める規制部が設けられ、前記表示部は前記可動部材に覆われるとともに、前記可動部材の前記容器体に対する下降に伴って、前記表示部が露出される。
【０００７】
上記態様によれば、可動部材の容器体に対する下降に伴い、表示部が露出される。このため、表示部が容器体の一部であって、透明または半透明な材質により形成されている場合でも、可動部材を下降させるまで表示部が露出しないため、この表示部を通して光が容器体内の内容物に照射することが抑えられる。また、可動部材を下降させることで、表示部を通して容器体の内部が視認可能となり、内容物の残量を確認することができる。また、可動部材に設けられた規制部により、可動部材の容器体に対する所定量以上の下降が規制されるため、可動部材が容器体から不意に脱落してしまうことが抑えられる。
【０００８】
ここで、前記表示部が、前記容器体の一部であって、内部が視認可能に形成されていてもよい。
【０００９】
この場合、可動部材を下降させた後、表示部を通して容器体の内部を視認することで、内容物の残量を確認することができる。
【００１０】
また、前記可動部材は、前記容器体の底部をその下方から覆い、かつこの吐出容器の正立時に接地する接地部を備え、前記底部と前記接地部との間に、前記容器体を上方付勢し、かつ前記内容物の残量に応じて伸縮する付勢部材が配置されていてもよい。
【００１１】
この場合、内容物の残量に応じて付勢部材が伸縮することで、この付勢部材の上方付勢力を受けた容器体の上下方向における位置が変化する。これにより、内容物の残量に応じて、容器体と可動部材との上下方向における相対的な位置が変化するため、表示部の露出面積も変化する。従って、容器体の全体を不透明な材質により形成して遮光性を確保したとしても、表示部の露出面積の大小によって内容物の残量を確認することができる。
【発明の効果】
【００１２】
本発明の上記態様によれば、内容物の残量を視認可能であり、かつ容器体内の遮光性を確保した吐出容器を提供することができる。
【図面の簡単な説明】
【００１３】
【図１】第１実施形態に係る吐出容器の半縦断面図である。
【図２】図１のＡ−Ａ断面矢視図である。
【図３】図１のＢ方向矢視図である。
【図４】図３の状態から可動部材を下降させた場合を示す図である。
【図５】第２実施形態に係る吐出容器の半縦断面図である。
【図６】第３実施形態に係る吐出容器の半縦断面図である。
【図７】図６の状態から内容物の残量が減った場合を示す図である。
【図８】図７の状態から内容物の残量がさらに減った場合を示す図である。
【発明を実施するための形態】
【００１４】
（第１実施形態）
以下、第１実施形態の吐出容器について図面に基づいて説明する。なお、以下の説明で用いる図面は、特徴をわかりやすくするために、便宜上特徴となる部分を拡大して示している場合があり、各構成要素の寸法比率などが実際と同じであるとは限らない。また、本発明は以下の実施形態に限定されない。
【００１５】
図１に示すように、吐出容器１Ａは、内容物が収容される容器体１０と、容器体１０の口部１２に装着されて内容物を吐出する吐出器３０と、容器体１０内に配設された中皿６０と、吐出器３０の後述する押下ヘッド３１を覆うオーバーキャップ４０と、を備えている。吐出容器１Ａは、いわゆる中皿上昇式であり、容器体１０に充填されている内容物の量の減少に伴って、中皿６０が上昇する。内容物としては、特に限定されないが、光の影響によって性質が変化または劣化しやすい化粧料などが好適に用いられる。なお、内容物はこのような化粧料などでなくてもよい。
【００１６】
（方向定義）
ここで本実施形態では、容器体１０、吐出器３０、および中皿６０は、それぞれの中心軸線が共通軸上に位置する状態で配設されている。以下、この共通軸を容器軸Ｏといい、容器軸Ｏに沿う方向を上下方向という。また、上下方向に沿う容器体１０の口部１２側を上方といい、後述する底壁５１側を下方という。また、上下方向から見た平面視において、容器軸Ｏに交差する方向を径方向といい、容器軸Ｏ周りに周回する方向を周方向という。
なお、以降の説明では、例えば机上などの載置面Ｔに吐出容器１Ａが正立姿勢で載置されたときの状態を、待機状態という。
【００１７】
（容器体）
容器体１０は、上下方向に延びる筒状に形成されており、その下端開口が底部材（底部）５０により覆われている。本実施形態では、容器体１０と底部材５０とが別体に形成されているが、これらは一体に形成されていてもよい。容器体１０の内部は、中皿６０によって上下に隔てられている。本実施形態では、容器体１０の内部空間のうち、中皿６０よりも上方に位置する部分を液室Ｓ１といい、中皿６０よりも下方に位置する部分を空気室Ｓ２という。内容物は、液室Ｓ１内に収容されている。空気室Ｓ２は、不図示の外気導入孔によって、容器体１０の外部と連通している。
【００１８】
図３に示すように、容器体１０は、上方から下方に向けてこの順に連設された口部１２、本体部１１、および小径部１３を有している。口部１２は容器体１０の上端部に位置し、小径部１３は容器体１０の下端部に位置している。口部１２の内径および外径は、本体部１１の内径および外径よりも小さい。小径部１３の内径は本体部１１の内径と略同等であり、小径部１３の外径は本体部１１の外径よりも小さい。口部１２の上端開口部には、環状のパッキン３７が配設されている。小径部１３の内周面には、径方向内側に向けて突出する第１嵌合部１３ａが形成されている。
【００１９】
図１および図３に示すように、本体部１１には、径方向内側に向けて窪み、かつ上下方向に延びるガイド溝１１ａが形成されている。ガイド溝１１ａの底面は、小径部１３の外周面に連なっている。ガイド溝１１ａの底面における上端部には、表示部１１ｂが設けられている。換言すると、表示部１１ｂは、容器体１０の側面に設けられている。
【００２０】
ここで本実施形態では、容器体１０が透明または半透明な材質により形成されるとともに、容器体１０のうち側面の一部分が遮光材に覆われておらず、当該部分を通じて内部を視認可能となっている。以下、容器体１０のうち内部が視認可能に形成された部分を、表示部１１ｂという。本実施形態では、容器体１０の表面が、表示部１１ｂを除いて遮光性を有する材質（以下遮光材という）によって覆われている。従って、表示部１１ｂが露出した状態では、この表示部１１ｂを通して、容器体１０の内部を視認することができる。遮光材は、塗装、蒸着、又は転写などの方法により、容器体１０の表面に設けることができる。
【００２１】
なお、内部が視認可能である表示部１１ｂを形成するための構成は、上記に限られない。例えば、透明または半透明な材質によって表示部１１ｂの形状を予め成形しておおき、この表示部１１ｂをインサート品として容器体１０を成形してもよい。あるいは、表示部１１ｂと、容器体１０のその他の部分とを、二色成形などを用いて一体に形成してもよい。これらの場合には、容器体１０のうち表示部１１ｂを除く部分を、遮光性を有する第１の材質により形成し、表示部１１ｂを、透明または半透明な第２の材質により形成してもよい。
【００２２】
底部材５０は、容器体１０の下端開口（小径部１３の下端開口）に嵌合されている。底部材５０は、平面視で円板状の底壁５１と、底壁５１から上方に向けて延びる筒状の内ガイド部５２、外ガイド部５３、および連結部５４と、を有している。底壁５１、内ガイド部５２、外ガイド部５３、および連結部５４は、容器軸Ｏと同軸上に配置されている。外ガイド部５３は内ガイド部５２の径方向外側に位置し、連結部５４は外ガイド部５３の径方向外側に位置している。図１に示すように、底壁５１には、この底壁５１を上下方向に貫通する貫通孔５１ａが形成されている。図示は省略するが、貫通孔５１ａは、周方向に等間隔を空けて複数形成されている。
【００２３】
図１および図２に示すように、内ガイド部５２の外周面には、径方向内側に向けて窪み、上下方向に延びる縦溝５２ａが形成されている。縦溝５２ａは、周方向に等間隔を空けて複数形成されている。
図１に示すように、連結部５４の外周面には、径方向外側に向けて突出する第２嵌合部５４ａが形成されている。第２嵌合部５４ａが、小径部１３の第１嵌合部１３ａにアンダーカット嵌合されることで、底部材５０が容器体１０に固定されている。
【００２４】
（吐出器）
吐出器３０は、内容物が吐出される吐出ノズル３２を有する押下ヘッド３１と、ステム３３と、シリンダ３４と、装着キャップ３５と、外装筒３６と、を備えている。また、吐出器３０は、シリンダ３４内に上下摺動可能に配設されたピストン部材（不図示）と、ステム３３を上方に向けて付勢する付勢部材（不図示）と、を備えている。吐出器３０は、押下ヘッド３１の上下動に伴い、容器体１０内の内容物をシリンダ３４内に吸い上げ、吐出ノズル３２から内容物を吐出するように構成されている。ステム３３、シリンダ３４、装着キャップ３５、および外装筒３６は、容器軸Ｏと同軸上に配設されている。
【００２５】
装着キャップ３５は、容器体１０の口部１２に装着されている。シリンダ３４は、装着キャップ３５に組み付けられるとともに、容器体１０内に配設されている。ステム３３は、シリンダ３４から上方に向けて延び、上方付勢状態で下降可能に設けられている。押下ヘッド３１は、有頂筒状に形成され、ステム３３の上端部に装着されている。吐出ノズル３２は、押下ヘッド３１の周壁から径方向外側に向けて突出している。外装筒３６は、多段の筒状に形成され、装着キャップ３５を径方向外側から囲っている。
【００２６】
装着キャップ３５は、口部１２に装着される装着筒部３５ａと、装着筒部３５ａの上端部から径方向内側に向けて延びる環状の接続部３５ｂと、接続部３５ｂから上方に向けて延びる取付部３５ｃおよびガイド筒部３５ｄと、を有している。
装着筒部３５ａの内周面には、径方向内側に向けて突出し、口部１２の嵌合突起にアンダーカット嵌合する嵌合部が形成されている。なお、装着筒部３５ａは、口部１２に螺着されていてもよい。接続部３５ｂは、パッキン３７を介して口部１２と上下方向で対向している。接続部３５ｂおよび口部１２は、パッキン３７を、上下方向で圧縮した状態で挟んでいる。取付部３５ｃは、上下方向に延びる二重の筒状に形成され、シリンダ３４の上端開口部に嵌合されている。ガイド筒部３５ｄは、押下ヘッド３１を径方向外側から囲っており、押下ヘッド３１の上下動をガイドする。
【００２７】
外装筒３６の外周面には、径方向外側に向けて突出する突部３６ａが形成されている。突部３６ａは、曲面状に形成され、周方向に間隔を空けて複数形成されている。
オーバーキャップ４０は、有頂筒状に形成されており、押下ヘッド３１および外装筒３６を覆っている。オーバーキャップ４０の周壁における下端部には、径方向内側に向けて突出し、突部３６ａにアンダーカット嵌合する係止部が形成されている。前記係止部は、オーバーキャップ４０の内周面に、その全周にわたって形成されている。
【００２８】
（中皿）
中皿６０は、容器体１０内を液室Ｓ１と空気室Ｓ２とに仕切る隔壁部６１と、容器体１０内に摺動可能に嵌合された摺動筒部６３と、隔壁部６１と摺動筒部６３とを接続する接続部６２と、を有している。
隔壁部６１は、径方向中央部に位置して平面視で円板状の下板部６１ａと、下板部６１ａの外周縁から上方に向けて延びる接続筒部６１ｂと、接続筒部６１ｂの上端部から径方向外側に向けて延びる環状の上板部６１ｃと、を有している。接続部６２は、上板部６１ｃの外周縁から下方に向けて延びる筒状に形成されている。
【００２９】
隔壁部６１および接続部６２は、摺動筒部６３の径方向内側を閉塞している。摺動筒部６３は、本体部１１の内周面に密に接した状態で上下摺動可能に嵌合されている。中皿６０は、容器体１０内の内容物の減少に伴って液室Ｓ１内が負圧になることにより、本体部１１内を上昇するように構成されている。
【００３０】
押下ヘッド３１が押下されることで吐出器３０が作動し、内容物が吐出ノズル３２から吐出されると、容器体１０の液室Ｓ１内の内容物の量が減少する。これに伴い、液室Ｓ１内が負圧となり、この負圧によって中皿６０が上昇する。なお、中皿６０の上昇に伴い、可動部材２０と容器体１０との間の隙間や、底部材５０の貫通孔５１ａなどを通じて、空気室Ｓ２内に外気が導入される。
液室Ｓ１内の内容物の残量が少なくなると、図１、図３の二点鎖線に示すように、中皿６０が容器体１０の本体部１１内における上端部まで上昇する。このとき、上下方向における中皿６０の位置は、表示部１１ｂの位置と同等になる。
【００３１】
（可動部材）
可動部材２０は、吐出容器１Ａの底部に位置し、底部材５０を下方から覆っている。可動部材２０は、容器体１０に対して下方に向けてスライド移動可能（下降可能）に設けられている。可動部材２０は、底部材５０を下方から覆う接地部２１と、接地部２１から上方に向けて延びる可動周壁２２と、を有している。接地部２１は、容器軸Ｏと同軸の円板状に形成されている。接地部２１は、吐出容器１Ａの正立時に、載置面Ｔなどに接地する。可動周壁２２は、接地部２１の外周縁から上方に延びる筒状に形成され、小径部１３および底部材５０を径方向外側から囲っている。可動周壁２２の外径は、本体部１１の外径と略同等である。可動周壁２２の下端部には、径方向外側に向けて突出した指掛け部２２ａが形成されている。指掛け部２２ａの下面は、接地部２１の下面に連なっている。
【００３２】
図１に示すように、接地部２１には、上方に向けて延びる規制片２４が形成されている。規制片２４は、底部材５０の貫通孔５１ａ内に挿通されている。規制片２４の上端部には、径方向内側に向けて突出する規制部２４ａが形成されている。図２に示すように、規制片２４および規制部２４ａは、周方向に等間隔を空けて複数形成されている。規制片２４の数（図では３つ）は、縦溝５２ａの数と同じである。規制部２４ａの周方向における幅は、縦溝５２ａの周方向における幅よりも小さい。また、規制部２４ａの一部は、縦溝５２ａ内に位置しており、底壁５１に対して上下方向で対向している。規制部２４ａは、可動部材２０の容器体１０に対する所定量以上の下降を規制することによって、可動部材２０の容器体１０に対する最下端位置を決めている。
【００３３】
そして本実施形態の可動部材２０には、図１および図３に示すように、可動周壁２２から上方に向けて延び、本体部１１のガイド溝１１ａ内に位置する遮蔽部２３が形成されている。周方向において、遮蔽部２３の幅は、ガイド溝１１ａの幅よりも小さく、表示部１１ｂの幅よりも大きい。遮蔽部２３は、図１および図３に示す待機状態において、表示部１１ｂを径方向外側から覆っている。遮蔽部２３は、遮光性を有する材質により形成されている。図１および図２に示すように、遮蔽部２３の外周面は、ΔＲだけ、可動周壁２２の外周面よりも径方向内側に位置している。これにより、後述するように可動周壁２２を把持した際に、指などが遮蔽部２３に触れて、遮蔽部２３が本体部１１に押し付けられてしまうことが抑制される。
【００３４】
次に、以上のように構成された吐出容器１Ａの作用について説明する。
【００３５】
図４に示すように、吐出容器１Ａを載置面Ｔから持ち上げた状態で、可動部材２０を下降させると、遮蔽部２３が表示部１１ｂに対して下降し、表示部１１ｂが露出される。なお、可動部材２０の下方に向けた移動は、可動部材２０の自重によるものでもよいし、使用者による可動部材２０の引き下げ操作によるものでもよい。引き下げ操作を行う場合には、指掛け部２２ａに手指などを掛けることで、スムーズに操作を行うことができる。ただし、指掛け部２２ａは可動部材２０に形成されていなくてもよい。
【００３６】
なお、可動部材２０が所定量下降すると、規制部２４ａが底壁５１に対してその上方から当接するため、それ以上の可動部材２０の下降が規制される。これにより、可動部材２０が不意に容器体１０から脱落することが抑えられる。
可動部材２０の下降に伴って表示部１１ｂが露出されると、表示部１１ｂは透明または半透明な材質により形成されているため、この表示部１１ｂを通して、容器体１０内を視認することができる。
【００３７】
ここで、容器体１０の残量が少ない場合は、先述の通り中皿６０が図１の２点鎖線に示す位置まで上昇し、中皿６０が表示部１１ｂを本体部１１の内側から覆う。このため、表示部１１ｂが中皿６０によって本体部１１の内側から覆われていない場合と比較して、表示部１１ｂを通した見た目が異なることになる。つまり、表示部１１ｂは、内容物の残量を表示する。使用者は、表示部１１ｂを視認することで、内容物の残量が少ないか否かを判断することができる。
【００３８】
表示部１１ｂの視認が終わった後は、吐出容器１Ａを再び載置面Ｔに載置することで、容器体１０および吐出器３０などの自重が作用し、可動部材２０が容器体１０に対して上昇する。これにより、表示部１１ｂが再び遮蔽部２３に覆われることとなり、容器体１０内の遮光性を確保することができる。このように、吐出容器１Ａの自重を用いて吐出容器１Ａを待機状態に戻すことができる。この場合、可動部材２０を元の位置に戻す操作が省かれて、操作性を向上することができる。また、吐出容器１Ａを正立姿勢としたまま容易に残量を確認することができる。
なお、吐出容器１Ａの自重によらず、例えば可動部材２０を容器体１０に対して押し上げる操作を行うことで、可動部材２０を元の位置に戻してもよい。
【００３９】
そして、図１、図３に示す待機状態では、先述の通り、遮蔽部２３が表示部１１ｂを覆っている。このため、表示部１１ｂが内部を視認可能に形成されていても、表示部１１ｂを通して容器体１０内の内容物に光が当たることが抑えられる。従って、内容物に光が長時間にわたって当たり、例えば内容物が変質してしまうのを抑えることができる。
【００４０】
以上説明したように、本実施形態では、可動部材２０の容器体１０に対する下降に伴い、内容物の残量を示す表示部１１ｂが露出される。そしてこの構成により、表示部１１ｂによって内容物の残量が視認可能であるとともに、容器体１０内の遮光性を確保した吐出容器１Ａを提供することができる。
【００４１】
（第２実施形態）
次に、本発明に係る第２実施形態について説明するが、第１実施形態と基本的な構成は同様である。このため、同様の構成には同一の符号を付してその説明は省略し、異なる点についてのみ説明する。
図５に示すように、本実施形態の吐出容器１Ｂでは、底部材５０の形状が第１実施形態と異なっており、底部材５０と可動部材２０との間に付勢部材７０が配設されている。
【００４２】
底部材５０は、平面視で円板状の底壁５１と、底壁５１から上方に向けて延びる筒状の内ガイド部５２および外ガイド部５３を有している。外ガイド部５３の上端部には、径方向外側に向けて延びる環状のバネ座部５５が形成されている。バネ座部５５の外周縁には、下方に向けて延びる筒状の連結部５４が形成されている。底壁５１、内ガイド部５２、外ガイド部５３、連結部５４、およびバネ座部５５は、容器軸Ｏと同軸上に配置されている。
【００４３】
外ガイド部５３は内ガイド部５２の径方向外側に位置し、連結部５４は外ガイド部５３の径方向外側に位置している。底壁５１には、この底壁５１を上下方向に貫通する貫通孔５１ａが形成されている。貫通孔５１ａには、可動部材２０の規制片２４が挿通されている。連結部５４の外周面には、径方向外側に向けて突出する第２嵌合部５４ａが形成されている。第２嵌合部５４ａが、小径部１３における第１嵌合部１３ａにアンダーカット嵌合されることで、底部材５０が容器体１０に連結されている。
【００４４】
付勢部材７０としては、コイルバネなどを用いることができる。付勢部材７０は、待機状態において、底部材５０のバネ座部５５と可動部材２０の接地部２１との間で、上下方向に圧縮されている。すなわち、待機状態において、付勢部材７０は可動部材２０を下方付勢し、底部材５０および容器体１０を上方付勢している。
【００４５】
本実施形態によれば、吐出容器１Ｂが机上などの載置面Ｔから持ち上げられた際に、付勢部材７０の下方付勢力によって、可動部材２０をより確実に下降させることができる。従って、表示部１１ｂを露出させるために可動部材２０を下方に引き下げる操作が省かれるため、操作性をより向上させることができる。
【００４６】
なお、吐出容器１Ｂを載置面Ｔに載置して待機状態に戻した場合には、付勢部材７０に容器体１０や吐出器３０などの自重が作用し、この自重によって付勢部材７０が再び圧縮される。付勢部材７０の付勢力は、容器体１０、吐出器３０などの自重よりも小さい。これにより、内容物の残量が少なくなったとしても、待機状態において遮蔽部２３が表示部１１ｂを覆う状態とすることができる。なお、付勢部材７０の付勢力は、例えば内容物の自重を加味した容器体１０および吐出器３０の重量より小さくするなど、適宜設計変更してもよい。
【００４７】
（第３実施形態）
次に、本発明に係る第３実施形態について説明するが、第２実施形態と基本的な構成は同様である。このため、同様の構成には同一の符号を付してその説明は省略し、異なる点についてのみ説明する。
本実施形態では、容器体１０の全体が遮光性を有する材質により形成されていたとしても、内容物の残量を視認可能である点が第２実施形態と異なる。
【００４８】
図６に示すように、本実施形態の吐出容器１Ｃでは、容器体１０における小径部１３の上下方向の長さが、第２実施形態と異なっている。本実施形態の小径部１３の上端は、容器体１０の上下方向における略中央部に位置している。小径部１３の外径は、本体部１１の外径よりも小さいため、小径部１３と本体部１１との接続部には、下方を向く段差１４が形成されている。段差１４は平面視で環状であり、可動部材２０の可動周壁２２における上端面２２ｂに対して上下方向で対向している。
【００４９】
次に、以上のように構成された吐出容器１Ｃの作用について説明する。なお、以下の説明では、吐出容器１Ｃが机上などの載置面Ｔに正立姿勢で置かれた待機状態にあるものとして説明する。
【００５０】
図６に示すように、液室Ｓ１内の内容物の残量が多い場合には、可動周壁２２の上端面２２ｂと段差１４とが当接若しくは近接した状態となる。
図７は、図６に示す状態から内容物が吐出されて、液室Ｓ１内の内容物の残量が減少し、中皿６０が上昇した状態を示している。このように内容物の量が減ると、付勢部材７０に作用する内容物の自重も小さくなる。つまり、内容物の残量に応じて、付勢部材７０に作用する圧縮荷重が変化する。これに伴い、内容物の残量に応じて付勢部材７０が伸縮し、付勢部材７０の上方付勢力によって、容器体１０の上下方向における位置も変化する。すなわち、容器体１０と可動部材２０との上下方向の位置関係が変化し、可動周壁２２の上端面２２ｂと段差１４との間の上下方向の間隔Ｌも変化する。そして、小径部１３の外周面が露出される面積も変化する。
【００５１】
図８は、図７からさらに内容物の残量が減少した状態を示している。図８では、内容物の自重の減少に伴って、小径部１３の外周面がより大きく露出されている。このように、本実施形態では、小径部１３の外周面が、可動部材２０の容器体１０の下降に伴って露出し、内容物の残量を表示する表示部１５として機能する。そして、露出された表示部１５の上下方向における長さ（前記間隔Ｌ）を視認することで、内容物の残量を確認することができる。
【００５２】
さらに本実施形態では、図７および図８に示すように、表示部１５に、互いに異なる色で着色された着色部１５ａ〜１５ｃが設けられている。着色部１５ａ〜１５ｃは、上下方向に並べて配置されている。使用者は、着色部１５ａ〜１５ｃのうち、いずれの部分まで露出しているかによって、内容物の残量がどの程度であるかを確認することができる。
なお、着色部１５ａ〜１５ｃに限られず、例えば容器体１０の成形時における刻印、転写、印刷、塗装などの加飾によって、残量を確認しやすくするための目印を設けてもよい。
【００５３】
以上説明したように本実施形態では、可動部材２０の容器体１０に対する下降に伴って内容物の残量を示す表示部１５が露出され、底部材（底部）５０と可動部材２０の接地部２１との間に、容器体１０を上方付勢し、かつ内容物の残量に応じて伸縮する付勢部材７０が配置されている。この構成により、容器体１０の全体を不透明な材質により形成し、遮光性を確保したとしても、表示部１５の露出面積の大小によって内容物の残量を確認することができる。
【００５４】
また、本実施形態では、吐出容器１Ｃを机上などの載置面Ｔに置いた状態で、内容物の残量を確認することができる。つまり、吐出容器１Ｃを持ち上げる操作を行わなくとも、内容物の残量を確認することができる。これにより、操作性をより向上させることができる。
【００５５】
なお、本発明の技術的範囲は前記実施の形態に限定されるものではなく、本発明の趣旨を逸脱しない範囲において種々の変更を加えることが可能である。
【００５６】
例えば、内容物の残量の減少に伴って中皿６０が上昇する構成を、前記第１〜第３実施形態に採用してもよい。
また、第３実施形態の吐出容器１Ｃにおいて、表示部１５として機能する小径部１３の外周面に、目盛などを設けてもよい。
【００５７】
その他、本発明の趣旨を逸脱しない範囲で、上記した実施の形態における構成要素を周知の構成要素に置き換えることは適宜可能であり、また、上記した実施形態や変形例を適宜組み合わせてもよい。
【符号の説明】
【００５８】
１Ａ〜１Ｃ…吐出容器  １０…容器体  １１ｂ、１５…表示部  ２０…可動部材  ２１…接地部  ２４ａ…規制部  ３０…吐出器  ５０…底部材  ６０…中皿  ７０…付勢部材
【図１】
2019116314.tif 000003
【図２】
2019116314.tif 000004
【図３】
2019116314.tif 000005
【図４】
2019116314.tif 000006
【図５】
2019116314.tif 000007
【図６】
2019116314.tif 000008
【図７】
2019116314.tif 000009
【図８】
2019116314.tif 000010